(57)【要約】      （修正有）【課題】衛生上、若しくは品質保全上の見地から作業に従事する者の頭部から毛髪や頭垢が飛散するのを防止するフードにおいて、 眼鏡着用者の眼鏡装着が容易な、眼鏡のつる挿通部を設けたフードを提供する。【解決方法】着用者の頭頂部、側頭部、後頭部を覆う帽子状部材１ａと、頬及び頚部を覆う部材１ｂとが目の高さの位置近傍で縫製されてなるフードであって、前記帽子状部材１ａが、着用者の左右の耳の前方部分で後方に斜めに切り込まれ、その部分の裏面に、眼鏡のつるを挿通する先細の挿通部を形成する挿通部形成部材を、その前方部を前記帽子状部材１ａの切り込まれた部分を補うように前方にはみ出させて縫着されてなるフードによる。【選択図】図１
0003176459.tif 000002
【実用新案登録請求の範囲】
【請求項１】
着用者の頭頂部、側頭部、後頭部を覆う帽子状部材と、頬及び頚部を覆う部材とが目の高さの位置近傍で縫製されてなるフードであって、
前記帽子状部材が、着用者の左右の耳の前方部分で後方に斜めに切り込まれ、その部分の裏面に、眼鏡のつるを挿通する先細の挿通部を形成する挿通部形成部材を、その前方部が前記帽子状部材の切り込まれた部分を補うように前方にはみ出させて縫着されてなることを特徴とするフード。
【請求項２】
挿通部形成部材が、拡開した形状がほぼ三角形で、一辺の中央部と他端頂部を結ぶ折り線に沿って二つ折りにしたときの折り目が斜辺となる先細袋形状を形成し、かつその幅広端面に重なり合う挿通部形成部材の縁端が、一方は着用者の左右の耳の前方部分で後方に斜めに切り込まれた前記帽子状部材の縁端の形状にあわせて裁断され、他方は前記帽子状部材の切り込まれた部分を補うような形状に裁断されてなり、前記縁端が食い違って重なる幅広端面の開口部と、後方は先細の小孔となるよう前記帽子状部材に縫着されてなることを特徴とする請求項１に記載のフード。
【請求項３】
挿通部形成部材、又は該挿通部形成部材の縁に被せて縫着した細長い布地でなるパイピング材が、帯電性を有するものであることを特徴とする請求項１又は２に記載のフード。
【請求項４】
挿通部形成部材、又は該挿通部形成部材の縁に被せて縫着した細長い布地でなるパイピング材が、滑り難い素材であることを特徴とする請求項１又は２に記載のフード。
【請求項５】
挿通部形成部材が、内面にメッシュや帯電性を有する布地を重ねた二重構造にしてなるものであることを特徴とする請求項１又は２に記載のフード。
【請求項６】
挿通部形成部材の開口部の下端、及び小孔の下端の一部が縫着され、前記小孔の開口率を縮小して毛髪や頭垢の眼鏡のつる挿通部への侵入を防止するとともに、前記眼鏡のつる挿通部の内側下部に侵入した毛髪や頭垢を貯留する浸入物貯留部を形成してなることを特徴とする請求項１〜５のいずれか１項に記載のフード。
【請求項７】
挿通部形成部材、又は該挿通部形成部材の縁を被せて縫着した細長い布地でなるパイピング材が、フード本体と異なる色彩のものであることを特徴とする請求項１〜６のいずれか１項に記載のフード。
【考案の詳細な説明】
【技術分野】
【０００１】
本考案は、食品、薬品の製造、あるいは半導体部品の組立、検査等、衛生上、若しくは品質保全上の見地から製造、組立、又は検査に従事する作業者の頭部から毛髪や頭垢が飛散するのを防止するためのフードであって、特に眼鏡の着用が容易で、かつ違和感なく装着できるように形成されたフードに関する。
【背景技術】
【０００２】
従来から作業者の頭部から毛髪や頭垢が飛散するのを防止するためのフード（衛生キャップ）についてはさまざまな発明が開示されており、その中には「……両耳を覆う帽体の両側頭部に眼鏡のつるを支持するつる掛け部材を取り付け」たり（特許文献１）、「顔面開口縁の両こめかみ部近辺に眼鏡のつるをキャップ内に導入可能な環状の眼鏡挿入部を設け」たり（特許文献２）するなど、眼鏡着用者に配慮したフード、衛生キャップの開示も多数見られる。
本考案者らにおいても、これら公開されたフード、衛生キャップの問題点に鑑みて、
「フードの左右の耳を覆う部分の前方位置に縦長に切り込まれてなる眼鏡のつるを挿通する挿通孔と、前端に開口部を有し後端に小孔を有する先細袋体からなり、前記挿通孔に前記先細袋体の前端開口部の縁部が接合され、前記挿通孔にからフード内に挿通される眼鏡のつるを、前記先細袋体が被包するようにして設けられ、前記挿通孔から頭髪や頭垢が飛散するのを防止するようにしてなるフード。」
についての特許出願（特許文献３）を行っている。
【先行技術文献】
【特許文献】
【０００３】
【特許文献１】特開２００６−１９３８６０号公報
【特許文献２】特開２００５−１７１４４１号公報
【特許文献３】特開２００９−１０２７９８号公報
【考案の概要】
【考案が解決しようとする課題】
【０００４】
本考案は、前記背景技術に鑑みなされたもので、従来のフードの眼鏡のつるを挿入する挿通孔が眼鏡のつるを挿入した際に、前記つるを挟み付けて隙間が開かないように密着する構造が採られていたため、眼鏡のつるの挿入が必ずしも容易でなかったことを解決し、眼鏡の装着を容易にしたフードの提供を課題とする。
【課題を解決するための手段】
【０００５】
本考案者らは上記課題を下記の手段により解決した。
（１）着用者の頭頂部、側頭部、後頭部を覆う帽子状部材と、頬及び頚部を覆う部材とが目の高さの位置近傍で縫製されてなるフードであって、
前記帽子状部材が、着用者の左右の耳の前方部分で後方に斜めに切り込まれ、その部分の裏面に、眼鏡のつるを挿通する先細の挿通部を形成する挿通部形成部材を、その前方部が前記帽子状部材の切り込まれた部分を補うように前方にはみ出させて縫着されてなることを特徴とするフード。
（２）挿通部形成部材が、拡開した形状がほぼ三角形で、一辺の中央部と他端頂部を結ぶ折り線に沿って二つ折りにしたときの折り目が斜辺となる先細袋形状を形成し、かつその幅広端面に重なり合う挿通部形成部材の縁端が、一方は着用者の左右の耳の前方部分で後方に斜めに切り込まれた前記帽子状部材の縁端の形状にあわせて裁断され、他方は前記帽子状部材の切り込まれた部分を補うような形状に裁断されてなり、前記縁端が食い違って重なる幅広端面の開口部と、後方は先細の小孔となるよう前記帽子状部材に縫着されてなることを特徴とする前項（１）に記載のフード。
（３）挿通部形成部材、又は該挿通部形成部材の縁に被せて縫着した細長い布地でなるパイピング材が、帯電性を有するものであることを特徴とする前項（１）又は（２）に記載のフード。
（４）挿通部形成部材、又は該挿通部形成部材の縁に被せて縫着した細長い布地でなるパイピング材が、滑り難い素材であることを特徴とする前項（１）又は（２）に記載のフード。
（５）挿通部形成部材が、内面にメッシュや帯電性を有する布地を重ねた二重構造にしてなるものであることを特徴とする前項（１）又は（２）に記載のフード。
（６）挿通部形成部材の開口部の下端、及び小孔の下端の一部が縫着され、前記小孔の開口率を縮小して毛髪や頭垢の眼鏡のつる挿通部への侵入を防止するとともに、前記眼鏡のつる挿通部の内側下部に侵入した毛髪や頭垢を貯留する浸入物貯留部を形成してなることを特徴とする前項（１）〜（５）のいずれか１項に記載のフード。
（７）挿通部形成部材、又は該挿通部形成部材の縁に被せて縫着した細長い布地でなるパイピング材が、フード本体と異なる色彩のものであることを特徴とする前項（１）〜（６）のいずれか１項に記載のフード。
【考案の効果】
【０００６】
本考案のフードによって、下記の効果が発揮される。
〈１〉着用者の頭頂部、側頭部、後頭部を覆う帽子状部材と、頬及び頚部を覆う部材とが目の高さの位置近傍で縫製されてなるフードの帽子状部材が、着用者の左右の耳の前方部分で後方に斜めに切り込まれ、その部分の裏面に縫着され眼鏡のつるを挿通する先細の挿通部を形成する挿通部形成部材が、その前方部を前記帽子状部材の切り込まれた部分を補うように前方にはみ出させて縫着されているので、前記挿通部形成部材の前方のはみ出した部分に眼鏡のつるの先端を当接させながら挿入することによって、眼鏡のつるの先端を極めて容易に開口部に導くことができ、眼鏡の装着がしやすくなり眼鏡着用者の便宜が向上する。
〈２〉挿通部形成部材が、拡開した形状がほぼ三角形で、一辺の中央部と他端の頂部を結ぶ折り線に沿って二つ折りにしたときの折り目が斜辺となる先細袋形状を形成し、かつその幅広端面に重なり合う挿通部形成部材の縁端が、一方は着用者の左右の耳の前方部分で後方に斜めに切り込まれた前記帽子状部材の縁端の形状に合わせて裁断され、他方は前記帽子状部材の切り込まれた部分を補うような形状に裁断されているので、前記帽子状部材の縁端の形状に合わせて裁断された縁端を前記帽子状部材の同じ形状の縁端に重ねて縫着した後に二つ折りして、帽子状部材の下端縁と重なる縁端とを縫着することによって容易に眼鏡のつる装着部が形成でき、作業効率の向上と価格の低廉化が図れる。
〈３〉前記〈１〉〈２〉の効果に加えて、前記挿通部形成部材を二つ折りにした時の折り目が、前端の開口部から後端の小孔に向けて下方に傾斜するようになされているので、眼鏡のつる挿通部の開口部に挿入された眼鏡のつるの先端が、折り目に沿って小孔に向かって滑らかに移動することから、眼鏡の装着が極めて容易になる。
【０００７】
〈４〉挿通部形成部材、又は該挿通部形成部材の縁に被せて縫着した細長い布地でなるパイピング材が、帯電性を有するもの、あるいは滑り難い素材であるので、眼鏡のつる挿通部に侵入した毛髪や頭垢が開口部から外部へ飛散するのを防止することができる。
〈５〉挿通部形成部材が、内面にメッシュや帯電性を有する布地を重ねた二重構造にされているので、眼鏡のつる挿通部に侵入した毛髪や頭垢が開口部から外部へ飛散するのを防止することができる。
〈６〉挿通部形成部材の開口部の下端、及び小孔の下端の一部が縫着され、前記小孔の開口率を縮小して毛髪や頭垢の眼鏡のつる挿通部への侵入を防止するとともに、前記眼鏡のつる挿通部の内側下部に侵入した毛髪や頭垢を貯留する浸入物貯留部を形成しているので、眼鏡のつる挿通部に侵入した毛髪や頭垢が、開口部から外部へ飛散するのを防止することができる。
〈７〉挿通部形成部材、又は該挿通部形成部材の縁に被せて縫着した細長い布地でなるパイピング材が、フード本体と異なる色彩のものであるので、眼鏡のつるを挿入する開口部が斜めに形成されていることと相まって、デザイン性に富んだフードが形成できる。
【図面の簡単な説明】
【０００８】
【図１】本考案の眼鏡のつる挿通部を備えたフードの斜視図
【図２】図１のフード着用時の左側面図、及び左側面の眼鏡のつる挿通部の内外面拡大図
【図３】挿通部形成部材の裁断形状と帽子状部材の眼鏡のつる挿通部の裁断形状
【図４】眼鏡のつる挿通部のフードへの縫着方法の説明図
【考案を実施するための形態】
【０００９】
本考案を実施するための形態について、実施例の図に基づいて説明する。
図１は本考案の眼鏡のつる挿通部を備えたフードの斜視図、図２は図１のフード着用時左側面図及び左側面の眼鏡のつる挿通部の内外面拡大図、図３は挿通部形成部材の裁断形状と帽子状部材の眼鏡のつる挿通部の裁断形状、図４は眼鏡のつる挿通部のフードへの縫着方法説明図である。
図において１はフード、１ａは帽子状部材、１ｂは頬及び頚部を覆う部材、２は眼鏡のつる挿通部、３は挿通部形成部材、３ａは形状合致縁辺、３ｂははみ出し縁片、３ｃは小孔形成辺、４は開口部、５は小孔、６は侵入物貯留部、Ｌは折り線を示し、１０は眼鏡のつるを示す。
【００１０】
本考案のフード１は、図１及び図２に示すように、着用者の頭頂部、側頭部、後頭部を覆う帽子状部材１ａと、頬及び頚部を覆う部材１ｂとが目の高さの位置近傍で縫製されてなるフードにおいて、眼鏡のつる１０を眼鏡着用者の左右の耳に掛けるための眼鏡のつる挿通部２を設けたものであって、前記帽子状部材１ａが、図３（ｂ）に示すように、着用者の左右の耳の前方部分で後方に斜めに切り込まれ、その部分の裏面に、眼鏡のつる１０を挿通する先細の挿通部２を形成する挿通部形成部材３を、その前方部が前記帽子状部材１ａの切り込まれた部分を補うように前方にはみ出させて縫着されてなるものである。
そして前記挿通部形成部材３は、図３（ａ）に示すようにほぼ三角形で、一辺の中央部と他端の頂点とを結ぶ折り線Ｌに沿って二つ折りにしたとき、その折り目が斜辺となる先細袋形状を形成し、かつその幅広端面に重なり合う挿通部形成部材３の縁端が、一方は着用者の左右の耳の前方部分で後方に斜めに切り込まれた前記帽子状部材１ａの縁端の形状に合わせて裁断された形状合致縁辺３ａとされ、他方は前記帽子状部材の切り込まれた部分を補うような形状に裁断されたはみ出し縁辺３ｂとされ、この形状合致縁辺３ａとはみ出し縁辺３ｂとが食い違って重なる幅広端面が開口部４となり、後方が先細の小孔５となるように前記帽子状部材１ａに縫着されている。
したがって、図４（ａ）に見られるように、前記帽子状部材１ａの縁端の形状に合わせて裁断された前記形状合致縁辺３ａを前記帽子状部材１ａの同一形状の縁端の裏面に重ねて縫着した後に、図４（ｂ）に示すように内側に前記折り線Ｌに沿って折り曲げ、帽子状部材１ａの下端縁と重なる縁端を縫着することによって容易に先細の眼鏡のつる装着部２が形成できる。
【００１１】
本考案のフードにおいては、先細の眼鏡のつる挿通部２によって、毛髪や頭垢の外部への飛散を防止しているが、万一前記眼鏡のつる挿通部２内に小孔５から毛髪や頭垢が浸入した場合でもそれらが開口部４から外部に出ないよう、挿通部形成部材３、又は該挿通部形成部材３の縁に被せて縫着した細長い布地でなるパイピング材に、帯電性を有する素材や滑り難い素材を使用したり、挿通部形成部材３の内面にメッシュや帯電性を有する布地を重ねて二重構造にしたりするほか、眼鏡のつる挿通部２の挿通部形成部材３の開口部４の下端、及び小孔５の下端の一部が縫着され、前記小孔５の開口率を縮小して毛髪や頭垢の眼鏡のつる挿通部２への侵入を抑止するとともに、前記眼鏡のつる挿通部２の内側下部に侵入した毛髪や頭垢を貯留する浸入物貯留部６を形成して、開口部４からの毛髪や頭垢の飛散の防止を図ることも好ましい。
【００１２】
さらに、挿通部形成部材３、又は該挿通部形成部材３の縁に被せて縫着した細長い布地でなるパイピング材をフード１の本体と異なる色彩のものとすれば、眼鏡のつるを挿入する開口部４の縁が斜めに形成されていることと相まって、デザイン性に富んだフードが形成されるので好ましく、また多様な職能の人たちの共同作業の場にあっては、色彩によってその職能を明示するといったことも可能になるので好ましい。
【００１３】
次ぎに本考案のフード１の縫製手順について図４に基づいて説明する。
ａ．所定の形状に裁断された帽子状部材１ａと挿通部形成部材３とを用意する（図３参照）。なお挿通部形成部材３の形状合致縁辺３ａ、はみ出し縁辺３ｂ、及び小孔５を形成する小孔形成辺３ｃを、あらかじめパイピング材でかがっておくことが好ましい。
ｂ．前記帽子状部材１ａの縁端の形状に合わせて裁断された前記挿通部形成部材３の形状合縁辺３ａを前記帽子状部材１ａの同一形状の縁端の裏面に重ねて縫合する〔図４（ａ）〕。
ｃ．帽子状部材１ａの縁端に縫合し終えた挿通部形成部材３を折り線Ｌに沿って内側に折り曲げて重ね、帽子状部材１ａの下部縁端と重なり合った挿通部形成部材の下部縁端を帽子状部材１ａに縫合し、前後に挿通した眼鏡のつる挿通部２を形成する〔図４（ｂ）〕。
ｄ．眼鏡のつる挿通部２の開口部の下端の一部、及び小孔５の下端の一部を縫着して、開口率を減らすとともに眼鏡のつる挿通部２の内側下部に浸入物貯留部を形成する。
ｅ，帽子状部材１ａと頬及び頚部を覆う部材１ｂとを縫合して、フードを完成させる。
【００１４】
本考案は、帽子状部材１ａと、頬及び頚部を覆う部材１ｂとが目の高さの位置近傍で縫製されてなるフード１を主たる対象として行ったが、それに限られるものでなく、前記帽子状部材１ａと頬及び頚部を覆う部材１ｂとが一体として裁断されて形成されているフードにおいても、着用者の左右の耳の前方部分を後方に斜めに切り込んでおけば、前記縫製手段によって挿通部形成部材３を装着することができる。
【符号の説明】
【００１５】
１：フード
１ａ：帽子状部材
１ｂ：頬及び頚部を覆う部材
２：眼鏡のつる挿通部
３：挿通部形成部材
３ａ：形状合致縁辺
３ｂ：はみ出し縁辺
３ｃ：小孔形成縁辺
４：開口部
５：小孔
６：侵入物貯留部
Ｌ：折り線
１０：眼鏡のつる
【図１】
0003176459.tif 000003
【図２】
0003176459.tif 000004
【図３】
0003176459.tif 000005
【図４】
0003176459.tif 000006